(57)【要約】      （修正有）【課題】フリーサイズとして確実に機能する作業服を提供する。【解決手段】着用者の胸，腹及び腰を収容する胴筒２と腕を収容する腕筒３と脚を収容する脚筒４とを一体に形成した作業服において、腕筒の下側から胴筒の側部を通り脚筒の側部にかけて伸ばした状態の複数の伸縮性部材７を、一部重複して取り付ける。【選択図】図１
0003198794.tif 000002
【実用新案登録請求の範囲】
【請求項１】
着用者の胸，腹及び腰を収容する胴筒と腕を収容する腕筒と脚を収容する脚部とを一体に形成した作業服において、前記腕筒の下側から胴筒の側部を通り脚筒の側部にかけて伸ばした状態の複数の伸縮性部材を、少なくとも一部重複させて取り付けたことを特徴とする作業服。
【請求項２】
前記伸縮性部材は、前記腕筒の二の腕近傍から前記胴筒の側部を通り前記脚筒の側部の上半側に縫合や接着により取り付けた請求項１に記載の作業服。
【請求項３】
前記胴筒の筒周りに、伸ばした状態の複数の胴筒用の伸縮性部材を少なくとも一部重複させて取り付けた請求項１又は２に記載の作業服。
【請求項４】
顔を露出させる窓を備えるフードを一体に形成した請求項１〜３のいずれか１項に記載の作業服。
【請求項５】
全体が不織布からなる請求項１〜４のいずれか１項に記載の作業服。
【請求項６】
前記胴筒の一部をファスナーなどの止着部材によって開閉自在に形成し、前記止着部材は、スライドファスナー、面ファスナー、ボタン、ホック、係止爪のいずれか、又はこれらを適宜併用したものである請求項１〜５のいずれか１項に記載の作業服。
【考案の詳細な説明】
【技術分野】
【０００１】
本考案は、原子力施設内のような放射線管理区域内などで作業する作業員、或は、半導体製造や食品製造などのような塵芥を嫌う作業場での作業員や農薬の散布作業に従事する作業員などが着用するのに好適なつなぎ服である作業服に関するものである。
【背景技術】
【０００２】
従来から原子力施設内や放射線管理区域内などで作業する作業員や、農薬を散布する作業に従事する作業員などが着用する作業服（つなぎ服）としては、種々の形式、構造のものが提案され実用にも供されており、特にそのサイズを、作業性が損なわれないように作業員の体格に合わせて、Ｓ，Ｍ，Ｌ，ＬＬ，３Ｌ，４Ｌ，ＸＬなど、少なくとも３サイズから７サイズに分けて作製，提供されている。  
【０００３】
一方、放射線管理区域内などで作業する作業者が着用する作業服は、高価な放射線防護用布地を用いて作製したり、或は、一度着用したらそのまま焼却等により処分して使い捨てにするほか、洗濯して数回着用したあと所定の処分をしたりすることが多い。このため、上記のように同一デザインであっても多様なサイズのものを作製すると、一着ごとのコストが高くつき、不経済であるほか、次のような問題もある。  
【０００４】
例えば、１日につき、上記区域に作業員が2000人から8000人も出入りする場合、各作業員は自分の体格に合わせて作業服を選択するが、幾分大きめの作業服を選択する傾向があるため、サイズが小さな作業服が使用されないで残ることが多い。そのためサイズが大き目の作業服を予め多めに用意するのが望ましいが、それでも他のサイズの作業服も、その度、所定数量を予め用意する必要がある。また、各サイズごとに用意する作業服の数量のチェックや不足分の補充が必要になるため、手間とコストが余計にかかることは否めない。  
【０００５】
このため、一サイズの作業衣でＳ，Ｍ，Ｌの大きさに使用でき、しかも、袖筒の袖口及び脚筒の裾口にゴム紐等の伸縮性部材を縫合して、体にフィットするようにした作業服を、袖筒を備え上半身部に着用する上衣部と、脚筒を備え下半身部に着用する下衣部とが一体に形成され、上衣部の袖筒の長さ方向の内部にゴム紐等の伸縮性部材を縫合する一方、下衣部の脚筒の長さ方向内部にゴム紐等の伸縮性部材を伸張した状態で縫合した構成として、既に提案されている（特許文献１参照。）。  
【０００６】
上記作業服は、一着で多様な体格、身長の着用者に対応できる、いわばフリーサイズであるから、従来のように各サイズごとの数量チェックは必要なく所期の目的を達成することはできたが、伸縮性部材を取付ける部位が多く、その取付作業も煩雑なため、製造手間やコストの面で未だ解決すべき問題点があった。  
【０００７】
そこで、着用者の胸、腹及び腰を収容する胴筒と腕を収容する腕筒と脚を収容する脚筒とを一体に形成すると共に、胴筒の一部をファスナーなどの止着部材によって開閉自在に形成し、この腕筒の下側から胴筒の側部を通り脚筒の側部にかけて伸ばした状態の伸縮性部材を取付けた作業服が提案された（特許文献２、３参照。）。
【０００８】
特許文献２、３で提案された作業服は、伸縮性部材を必要最小限の部位に取り付けるようにしているが、特に１本の伸縮性部材を用いた場合には、伸縮性に問題がありフリーサイズとして機能しないことがある。
【先行技術文献】
【特許文献】
【０００９】
【特許文献１】特開２００３−５５８１３号公報
【特許文献２】実用新案登録第３１１２３８８号公報
【特許文献３】実用新案登録第３１３５２４３号公報
【考案の概要】
【考案が解決しようとする課題】
【００１０】
そこで、本考案は、フリーサイズとして確実に機能する作業服を提供することを課題とする。
【課題を解決するための手段】
【００１１】
前記課題を解決するため本考案に係る作業服は、着用者の胸，腹及び腰を収容する胴筒と腕を収容する腕筒と脚を収容する脚部とを一体に形成した作業服において、前記腕筒の下側から胴筒の側部を通り脚筒の側部にかけて伸ばした状態の複数の伸縮性部材を、少なくとも一部重複させて取り付けたことを特徴とする。
【００１２】
このように、複数の伸縮性部材を取り付けることで、１つの伸縮性部材の場合に比して伸縮性に優れ、かつ、複数の伸縮性部材を一部重複させたことで、複数の伸縮性部材を端部を互いに連結したり隣接させたりする場合に比して伸縮性に優れるので、フリーサイズとして確実に機能する作業服が得られる。
【００１３】
この場合において、伸縮性部材を、腕筒の二の腕近傍から胴筒の側部を通り脚筒の側部の上半側に縫合や接着により取り付けてもよい。また、胴筒の筒周りに、伸ばした状態の複数の胴筒用の伸縮性部材を少なくとも一部重複させて取り付けることができる。さらに、顔を露出させる窓を備えるフードを一体に形成したり、全体が不織布からなるようにしたりしてもよい。また、止着部材を、スライドファスナー、面ファスナー、ボタン、ホック、係止爪のいずれか、又はこれらを適宜併用したものにできる。
【考案の効果】
【００１４】
本考案によれば、フリーサイズとして確実に機能する作業服が得られる。
【図面の簡単な説明】
【００１５】
【図１】本考案に係る作業服の一例を示した概略図である。
【図２】本考案に係る作業服の要部を示す概略図である。
【考案を実施するための形態】
【００１６】
以下、本考案に係る作業服の一実施形態を添付図面に基づいて説明する。図１及び図２に示すように、本考案に係る作業服１は、放射線管理区域内などで作業する作業者が着用するもので、作業終了後に洗濯して数回着用したあと廃棄する。なお、検査により放射能による汚染が確認された場合は、１回の着用でも焼却等により処分する。
【００１７】
作業服１は、着用者の胸、腹及び腰を包む胴筒２と、腕を包む２本の腕筒３（袖３ともいう）と脚を包む２本の脚筒４とを一体に形成したつなぎ服型の服であり、更に、頭を包むフード５を一体に形成し、胴筒２の前部を止着部材６によって開閉可能にした形態を有している。服全体は白色など、任意の色の不織布から構成されている。
【００１８】
胴筒２は、左右の前身頃２１と後見頃２２とを一体に形成し、後見頃２２に対して左右の前身頃２１を前方に位置付け筒状にしたもので、左右の前身頃２１の前側縁には、止着部材６が縫着されている。ここで、止着部材６としては、プラスチック製などのスライドファスナーを用いているが、使用目的や使用環境などに応じて、面ファスナー、ボタン、ホック、係止爪など衣料用の各種ファスナー類のいずれか、又は、これらを適宜併用することができる。左右の腕筒３は、腕筒３の下側に当たる縁３１を縫合して筒状に形成したもので、一端が胴筒２の肩部にある各開口に縫合されている。左右の脚筒４は、上部の前後が胴筒２の左右の前身頃２１及び後見頃２２の下部と一体に形成されていると共に、股を形成する内側の縁４１を縫合することで筒状に形成されている。
【００１９】
フード５は、前面を開口した略袋状に形成されていると共に、下方開口縁５２を胴筒２に縫合している。フード５の前面開口は顔を露出させる窓５１に形成されているが、窓５１はこれを形成する両側の領域が前身頃２１と一体となっていると共に、下部がスライドファスナーによって開閉自在となっている。
【００２０】
作業服における腕筒３，胴筒２，脚筒４の長さ方向、並びに、胴筒２の周長に伸縮性を付与するために、胴筒２の左右の外側面領域にそこから上下に延びる伸縮性部材７が伸ばした状態で取り付けられている。即ち、伸縮性部材７は、腕筒３の下側から胴筒２の脇（側面）を通り脚筒４の脇（側面）にかけて、例えば前記部材７の上端側が腕筒３の二の腕近傍に対応する領域まで延び、下端側が脚筒４における大腿部の側面（側部の上半側）に対応する領域まで延びている。なお、伸縮性部材７は、腕筒３の二の腕近傍から胴筒２の側部を通り脚筒４の側部の上半側にかけて取り付けられていることが好ましいが、これに限定されず、例えば、腕筒３の袖口３２の近傍から胴筒２の側部を通り脚筒４の裾口４２の近傍にかけて取り付けてもよい。また、伸縮性部材７は、腕筒３の上側（腕筒３の内側（脇に沿った内側）と反対側の外側や脚筒４の内側（脚筒４の内股側）に取り付けるようにしてもよい。
【００２１】
伸縮性部材７は、複数からなり、複数の伸縮性部材７が一部を重複させて取り付けられている。すなわち、伸縮性部材７の一部が２列になっている。複数の伸縮性部材７を重複させる範囲（箇所）は、任意に設定される。なお、複数の伸縮性部材７を全部を重複させて例えば２列に取り付けるようにしてもよい。具体的には、胴筒２、腕筒３、脚筒４は、伸縮性部材７を取り付ける前には例えばＬサイズに形成されており、複数の伸縮性部材７は、腕筒３，胴筒２，脚筒４がＳサイズからＬサイズまで伸張する長さをもつ例えば２本のゴム紐７ａ、７ｂを使用する。２本のゴム紐７ａ、７ｂを伸張した状態で一部を重複させて、例えば、１本目のゴム紐７ａを腕筒３，から胴筒２に配置するとともに２本目のゴム紐７ｂを胴筒２から脚筒４に配置して２本のゴム紐７ａ、７ｂを胴筒２で重複させた状態で、Ｌサイズの胴筒２、腕筒３、脚筒４の所要部位に連続的又は断続的に縫着することにより、縫着した２本のゴム紐７ａ、７ｂの縮小作用でつなぎ服がＳサイズ近傍のサイズまで収縮する。なお、ゴム紐７ａ、７ｂ（伸縮性部材７）は、縫着のほか、接着や接着と縫着の併用などの取付け態様によって取付けてもよい。これによって、本考案つなぎ服は、ＳサイズからＬサイズまで、そのサイズを拡縮することができるように形成されていることになる。
【００２２】
また、胴筒２の筒周りの全部または一部実施例では全部に、胴筒２に伸縮性を付与するために、胴筒用の伸縮性部材９が伸ばした状態で取り付けられている。胴筒用の伸縮性部材９は、複数からなり、複数の伸縮性部材９が、前記の伸縮性部材７と同様に一部又は全部を重複させて配置されている。
【００２３】
本考案に係る作業服１においては、腕筒３における袖口３２にリング状にゴム紐などの伸縮性部材を入れてこの袖口３２を狭窄し、袖口径がつなぎ服サイズＳからＬまでに対応するサイズに伸縮可能に形成されている。また、脚筒４の裾口４２にもリング状にゴム紐などの伸縮性部材を入れてこの裾口４２を狭窄し、裾口径もつなぎ服のサイズＳからＬサイズまでに対応して伸縮可能に形成されている。これにより、本考案つなぎ服は、伸縮性部材７を取付ける前は胴筒２、腕筒３及び脚筒４がＬサイズに形成されているが、胴筒２の径、腕筒３の袖口３２及び脚筒４の裾口４２の径は、伸縮性部材によってＳサイズ乃至その近傍のサイズに縮小している。
【００２４】
なお、股を形成する内側の縁に沿ってマチ部材としての厚手の布地を縫着するようにしてもよい。マチ部材としては、厚手の布地以外に不織布、ゴムなどの弾性部材，スポンジ状のクッション性部材など、或は、これらを適宜積層した部材を使用することができる。
【００２５】
本考案に係る作業服１の着用は、スライドファスナーを押し下げ、左右の脚を左右の脚筒４に順に入れ、両腕を左右の腕筒３に通し、フード５を頭に被り、スライドファスナーを引き上げることによって行なう。着用すると、伸縮性部材７（ゴム紐７ａ、７ｂ）の各部分が着用者の身体の大きさに対応して伸張するので、胴部１１と腕部１２及び脚部１３の一部が着用者の脇、胴及び腰に密着し、同時に、伸縮性部材が伸張して腕筒３の袖口３２が着用者の手首に密着し、並びに、伸縮性部材が伸張して脚筒４の裾口４２が足首に密着することによって、腕筒３及び脚筒４の長さも着用者の腕長及び脚長に応じて調整される。そして、スライドファスナーが上まで一杯に引き上げられると、フード５に使用者の顔を露出させる窓５１が形成され、使用者が顎を窓５１におけるスライドファスナー上端側に位置する下縁を掛けることによって、フード５を頭にフィットさせることができる。
【００２６】
このように、本考案に係る作業服１は、着用前は伸縮性部材７（ゴム紐７ａ、７ｂ）の作用で腕筒３や脚筒４の長さ並びに胴筒２の周長さが縮小しており、着用したとき、大きな体格であっても、小さな体格であっても、伸縮性部材７（ゴム紐７ａ、７ｂ）の伸縮作用によって腕筒３や脚筒４の長さが着用者の腕や脚の長さに合うように伸縮し、また、伸縮性部材７（ゴム紐７ａ、７ｂ）の作用で胴部を着用者の脇及び腰に密着させることができる。このとき、伸縮性部材７が複数で例えば２本のゴム紐７ａ、７ｂで形成されていることで、１本のゴム紐の場合に比して伸縮性に優れ、かつ、複数の伸縮性部材７（２本のゴム紐７ａ、７ｂ）の一部を重複させたことで、複数の伸縮性部材を端部を互いに連結したり隣接させたりする場合に比して伸縮性に優れるので、フリーサイズとして確実に機能する作業服が得られる。
【００２７】
伸縮性部材７（ゴム紐７ａ、７ｂ）を必要最小限の部位に取付けるようにしたので使用する伸縮性部材７（ゴム紐７ａ、７ｂ）の長さ並びに当該部材７（ゴム紐７ａ、７ｂ）の縫着作業などが少なくなり、製造を低コストで行うことができる。その結果、原子力施設内や放射線管理区域内などを始めとし、様々な作業環境で作業する作業員や、その他の作業に従事する作業員が作業時に着用することができるフリーサイズの作業服１を、簡潔な構造で実現し、より低コストで製作することができる。
【００２８】
上記のように常態において、腕筒３の袖口３２、胴筒２，脚筒４の裾口４２の径が小さく、具体的にはＳサイズ相当、或は、それ以下のサイズまで縮径されているので、例えば通常は個別に作製されたＭサイズやＬサイズのつなぎ服を着用していた者が着用しても、胴筒２が着用者の体にフィットし、しかも、袖口３２及び裾口４２が着用者の手首と足首に狭穿してフィットするため違和感なく着用できる。また、通常ではＳサイズのつなぎ服を着用していた者が作業服１着用すると、腕筒３及び脚筒４の長さが大きいため少しだぶつくことになるが、胴筒２が伸縮性部材９によって着用者の胴に密着し、しかも、袖口３２及び裾口４２が伸縮性部材によって手首及び足首に密着しているので、服の大きさに対する違和感を覚えることなく着用することができる。さらに、作業服１の着用，脱衣のための開口部を面ファスナー、ホック、ボタンなどのファスナーによって開閉自在としたことによって、着脱が容易になり、着用したとき、袖口３２及び裾口４２を伸縮性部材や縛り紐によって手首及び足首に密着させることができる。
【符号の説明】
【００２９】
１  作業服
２  胴筒
３  腕筒
４  脚筒
５  フード
６  止着部材
７  伸縮性部材
７ａ、７ｂ  ゴム紐
【図１】
0003198794.tif 000003
【図２】
0003198794.tif 000004